(57)【要約】【課題】  電子レンジを利用しての炊飯時における茶碗内部の蒸気圧力を茶碗に特殊な調圧弁体を設けることなく調整し得て、電子レンジで炊飯を行うことができ、しかも、保温能力を持ち、美しい外観のおひつとしてご飯を食卓に提供できる電子レンジ用炊飯調理器具の提供を目的とする。【解決手段】本発明の炊飯器具は耐熱性容器の構造として、釜、外蓋、中蓋、底蓋を用い、釜に段差構造、そり返しなどの構造を少なくともいずれか一つを用い、さらに、外蓋に通気用の穴と加圧のための重量をもつ構造を少なくともいずれか一つを用い、中蓋に通気用の穴と外周部に凹みをもつ構造を少なくともいずれか一つを用い、底蓋に通気用の穴を中央付近に一つ以上をもちなだらかな下弦の構造をいずれか一つを用いることを特徴とする吹き零れがなく、使いやすい加熱調理温具である。【選択図】  図１
2010268929.tif 000002
【特許請求の範囲】
【請求項１】
凹状の耐熱性容器釜と、該耐熱性容器釜の開口上部の第１円環状部に外気を密閉遮断する如く嵌合係止する底蓋と、該底蓋の上部円環状部に嵌合載置する中蓋と、該中蓋の上部に外気を密閉遮断する如く前記耐熱性容器釜の開口上部の第２円環状部に嵌合係止する外蓋とからなる炊飯調理具において、前記底蓋に通気穴を穿設し、かつ、前記底蓋の面を前記通気穴に液体が流れ込むようになだらかに傾斜させると共に、前記中蓋にも通気穴を穿設し、該中蓋の外周には凹部を刻設し、前記外蓋にも通気穴を穿設したことを特徴とする電子レンジ用炊飯調理具。
【請求項２】
マイクロ波で誘導加熱される発熱部を上記耐熱性容器釜の高台に配置してなることを特徴とする請求項１に記載の炊飯調理具
【発明の詳細な説明】
【技術分野】
【０００１】
この発明は、マイクロ波によって誘導加熱される発熱部を構成要素とする調理器具に係り、調理対象は炊飯、煮物、蒸し調理、シチューなど多岐に渡る。
【背景技術】
【０００２】
従来の電子レンジ調理器具など、耐熱性容器を用いた調理器具は、プラスチック、陶器等からなる容器を使用した構造で、次のような欠点があった。
【０００３】
プラスチック容器を用いたものは高温に弱く、誤って長時間使用した場合は、変形する恐れがあり、耐久性も乏しかった。
【０００４】
また陶器のものは強度が弱く、食品の臭いが染み付き、例えばカレーを調理したものはカレー以外が調理できない状態となった。
【０００５】
プラスチックや陶器製の物は材質上、単調な外見の物が多く美しい外観を持たせるのも難しかった。
【０００６】
また、炊飯時に、蓋や通気孔から激しい吹き零れにより、レンジ内が汚れる恐れがあった。
【０００７】
マイクロ波による水の加熱を熱源とした単純な調理を行うものが多くあった。
【先行技術文献】
【特許文献】
【０００８】
【特許文献１】特許公開２００８−２９５９６９号公報
【発明の概要】
【発明が解決しようとする課題】
【０００９】
本発明は、以上述べた従来技術の欠点を解消するためになされたもので、電子レンジを利用しての炊飯時における茶碗内部の蒸気圧力を茶碗に特殊な調圧弁体を設けることなく調整可能とし、電子レンジで炊飯を行うことができ、しかも、保温能力を有し、美しい外観のおひつとしてご飯を食卓に提供できる電子レンジ用炊飯調理具の提供を目的とする。
【課題を解決するための手段】
【００１０】
本発明の炊飯器具は耐熱性容器の構造として、凹状の耐熱性容器釜と、該耐熱性容器釜の開口上部の第１円環状部に外気を密閉遮断する如く嵌合係止する底蓋と、該底蓋の上部円環状部に嵌合載置する中蓋と、該中蓋の上部に外気を密閉遮断する如く前記耐熱性容器釜の開口上部の第２円環状部に嵌合係止する外蓋とからなる炊飯調理具において、前記底蓋に通気穴を穿設し、かつ、前記底蓋の面を前記通気穴に液体が流れ込むようになだらかに傾斜させると共に、前記中蓋にも通気穴を穿設し、該中蓋の外周には凹部を刻設し、前記外蓋にも通気穴を穿設したことを特徴とする電子レンジ用炊飯調理具で、更に、マイクロ波で誘導加熱される発熱部を上記耐熱性容器釜の高台に配置可能とした。
【発明の効果】
【００１１】
本発明は上述のように構成されているので、次のような効果を奏する。上述した底蓋と中蓋と外蓋の3枚の蓋の構造により吹き零れがない。大気圧を上回る程度の圧力をかけての炊飯ができた。発熱部による局所的な加熱により炊飯時に対流を起こすことによりムラ無く炊き上げることができた。電子レンジで加熱するという簡単な作業で使用できる。耐用年数が約10年以上と長く、高熱による劣化がない。何回でも繰り返し使用することができ、省資源である。発熱部による発熱効率に優れており、熱量も大きく、保温が可能である。発熱部は発熱した後にそれ自身に蓄熱する機能があるため、短時間で高温に達した後に、熱量を蓄えつつ外部に伝熱していくことが可能である。構造が簡単で、故障が起こりにくい。構成材料が耐熱素材のため、高温による溶融などの危険性が無く、料理の臭いなどがつかない。
【図面の簡単な説明】
【００１２】
【図１】本発明に係る陶磁器製釜の一実施例を示す縦切断面図である。
【図２Ａ】本発明に係る陶磁器製釜を示す斜視図である。
【図２Ｂ】本発明に係る陶磁器製釜内側に嵌合係止する陶磁器製底蓋を示す斜視図である。
【図２Ｃ】本発明に係る陶磁器製釜内側に嵌合係止する陶磁器製中蓋を示す斜視図である。
【図２Ｄ】本発明に係る陶磁器製釜内側に嵌合係止する陶磁器製外蓋を示す斜視図である。
【図３】陶磁器製釜の釜底に敷く蒸し料理用の陶磁器製敷皿を示す斜視図である。
【発明を実施するための形態】
【００１３】
以下、本発明に係る実施例を図面を参照しながら説明する。
なお、本発明は下記の実施例により何ら限定されるものではない。
【実施例１】
【００１４】
図１、図2Ａ、図２Ｂ、図２Ｃ、図２Ｄに示すように、陶磁器製釜１と、陶磁器製釜１(茶碗)の上面開口周縁の内側に嵌合係止される陶磁器製底蓋２と、陶磁器製底蓋２の上面開口周縁の内側に嵌合係止される陶磁器製中蓋３と、陶磁器製中蓋３の上方の陶磁器製釜１(茶碗)の上面開口周縁に嵌合係止される少し重たい陶磁器製外蓋４とから構成し、上記陶磁器製釜１の高台６１の円環状の内面にマイクロ波で加熱される発熱部５を配置し、上記陶磁器製釜１の内面側に第１谷部１１と、第２谷部１２、発熱部１３を形成し、上記陶磁器製底蓋２に通気孔２３に液体が流れ込むようになだらかに傾斜させた中央谷部２１、中央取手２２、通気孔２３を形成し、上記陶磁器製の中蓋３外周側に通気用溝３１、中央取手３２、通気孔３３、陶磁器製外蓋４に中央取手４１、通気孔４２を形成した.。
【００１５】
陶磁器製釜１、陶磁器製底蓋２、陶磁器製中蓋３、陶磁器製外蓋４は外観の美しさ・多様性を表現するため、また臭いの吸着などがない例えば、天草磁器をもちい、加熱により硬化するシリコンにフェライトを混合し、陶磁器製釜１の高台６１に流し込み、加熱により固めてなるものを用いた。発熱部５は電子レンジで安全に加熱可能なものである。陶磁器製釜１、陶磁器製底蓋２、陶磁器製中蓋３、陶磁器製外蓋４は基本的に磁器を用いるが、何ら限定されるものではない。
【００１６】
陶磁器製釜１の内部に設けられた第１と第2円環状部(谷部)は、陶磁器製底蓋２と陶磁器製外蓋４を接続し、さらに調理時の吹き上がった水を受け止めることができた。
【００１７】
陶磁器製底蓋２はなだらかに傾斜させた中央周辺に等間隔で通気孔２３を持たせることにより、吹き上がった水を陶磁器製釜１内の発熱部上に戻すことを可能とした。例えば、この通気孔２３を陶磁器製底蓋２の外周部などの中央部以外に穿設すると、発熱部以外の箇所に水が落ち、米が水を吸いすぎるため不均一な炊き上がりとなった。本実施例での通気孔２３の穴径は６mm径としたが、蓋の大きさによっては増減するが、一般的には４mm径から１０mm径程度が好ましい。４mm径以下では吹き上がった水が戻りにくく、１０mm径以上では米粒が蓋より飛び出しやすくなる不具合がある。
【００１８】
陶磁器製中蓋３は調理時に陶磁器製底蓋２の通気孔２３から噴水のように吹き上がる水を受け止め、さらに該陶磁器製中蓋３に穿設された通気孔３３から噴出した水蒸気が陶磁器製外蓋４でによって外に出るのを食い止めることにより、該陶磁器製中蓋３の外縁部から陶磁器製釜１内に循環させることができた。これは中蓋３と底蓋２の嵌合載置時に中蓋の通気用溝３１と底蓋２との間に10mm程度の隙間によるものである。一般的には前記の隙間は５mmから２０mm程度が好ましい。５mm以下では循環が起き難く、２０mm以上では圧力がかかりにくくなる不具合がある。
【００１９】
陶磁器製外蓋4には一つ以上の通気孔４２が上面に設けられているが、通気孔４２が無い場合、陶磁器製釜１との接続部分などから吹き零れが発生した。
【００２０】
陶磁器製釜１、陶磁器製底蓋２、陶磁器製中蓋３、陶磁器製外蓋４の形状は使用時の機能性を考慮して設計したものである。すなわち加熱により起こりうる吹きこぼれを防ぐことが出来、電子レンジなどの汚れの発生を防ぎ、米のうまみを逃がさずに調理することを可能とした。
【００２１】
以上のように構成した調理器具を使用する場合には、この加熱・保温具を電子レンジ内に入れ、マイクロ波によって発熱部中に含まれるフェライトを誘導加熱する。本実施例においては８０ｇの発熱部５を調理器具中に配置している。陶磁器製釜１を単独で電子レンジ内に置き、２分間の誘導加熱を行ったところ、約２００℃に温度上昇することを確認した。
【００２２】
次に、上記の陶磁器製釜１、陶磁器製底蓋２、陶磁器製中蓋３、陶磁器製外蓋４から構成される調理器具の、マイクロ波誘導加熱による調理をおこなった。この加熱・保温具の構造と形態は図１にぞれぞれ図示したものと同一である。この調理器具に米1．５合、水３５０ｍｌを入れ、１５分浸水させ、定格出力６００Ｗの電子レンジの中に置き、マイクロ波を１５分間照射した後に１５分放置した。
【００２３】
上記の加熱調理により調理器具内には十分に食べられる御飯ができあがっていた。吹き零れなどは確認できなかった
【実施例２】
【００２４】
実施例１で用いた調理器具から、陶磁器製底蓋２、陶磁器製中蓋３を取り除き、図３に図示の陶磁器製の敷皿６を内部に水１８０mlと共に配置し、さつまいもを敷皿６の上に配置し、定格出力６００ｗの電子レンジ内で１５分間加熱することによりに蒸し料理を試みた。
【００２５】
陶磁器製の敷皿６は陶磁器板に高台６１と多数の空気孔郡６２から構成されている。
【００２６】
上記の加熱調理により、さつまいもは内部まで火が通り、外側は乾燥しすぎず、美味なるものを得ることが出来た。
【００２７】
その他、本発明は、陶磁器製容器の材質、構造及び形状を、使用目的に応じて適宜変更したり、追加したり、或は、発熱部５の増量もしくは減量によって陶磁器製容器の表面温度の増減を達成する等、発明要件を逸脱しない範囲内で、種々変更して実施できることは言うまでもない。
【産業上の利用可能性】
【００２８】
本発明による調理器具は実施例に示した炊飯、蒸し料理に限らず様々な対象に対する加熱調理に用いることが出来る。食品の調理にマイクロ波を用いる場合には、調理が完了した食品を引き続き保温出来るほか、マイクロ波による加熱・調理に引き続いて、発熱部から供給される熱による調理を時間を掛けて継続することが可能である。また、飲料の場合には、加熱により温めた飲料を、引き続き保温することが出来る。このように、本発明による調理器具は、マイクロ波による誘導加熱によって発生した熱量を利用し、吹き零れなどを起こさず加熱する機能があるため、様々な調理や用途に安全かつ簡便に用いることが出来る。
【符号の説明】
【００２９】
１・・・陶磁器製釜
２・・・陶磁器製底蓋
３・・・陶磁器製中蓋
４・・・陶磁器製外蓋
５・・・発熱部
６・・・陶磁器製の敷皿
11・・・陶磁器製釜の第１谷部
12・・・陶磁器製釜の第２谷部
13・・・陶磁器製釜の発熱部
21・・・陶磁器製底蓋の中央谷部
22・・・陶磁器製底蓋の中央取手
23・・・陶磁器製底蓋の通気孔
31・・・陶磁器製中蓋の通気用溝
32・・・陶磁器製中蓋の中央取手
33・・・陶磁器製中蓋の通気孔
41・・・陶磁器製外蓋の中央取手
42・・・陶磁器製外蓋の通気孔
61・・・陶磁器製敷皿の高台
62・・・陶磁器製敷皿の空気孔
【図１】
2010268929.tif 000003
【図２Ａ】
2010268929.tif 000004
【図２Ｂ】
2010268929.tif 000005
【図２Ｃ】
2010268929.tif 000006
【図２Ｄ】
2010268929.tif 000007
【図３】
2010268929.tif 000008